(57)【特許請求の範囲】
【請求項１】
対向して配置し紙幣の搬送をガイドする搬送ガイドと、前記搬送ガイドの両側面に設けられたサイドフレームと、前記紙幣を挟持して搬送する搬送ローラと、からなる搬送機構により紙幣を搬送して所定の処理を行う紙幣処理装置であって、
前記搬送ガイドに搬送方向に前記紙幣の短辺幅より長いスリットを設けるようにしたことを特徴とする紙幣処理装置。
【請求項２】
対向して配置し紙幣の搬送をガイドする搬送ガイドと、前記搬送ガイドの両側面に設けられたサイドフレームと、前記紙幣を挟持して搬送する搬送ローラと、からなる搬送機構により紙幣を搬送して所定の処理を行う紙幣処理装置であって、
前記搬送ガイドに搬送方向に長いスリットを設け、該スリットは、前記搬送ローラにできる限り近づけた近傍の位置に配置し、該スリットには前記搬送ローラが配置されないことを特徴とする紙幣処理装置。
【請求項３】
前記スリットは、取扱う最小紙幣が前記サイドフレームの一方に寄ったときの当該紙幣の他方端部よりも内側となるようにしたことを特徴とする請求項1または２記載の紙幣処理装置。
【発明の詳細な説明】
【技術分野】
【０００１】
本発明は、入出金する紙幣等の媒体を搬送し所定の取引を行う紙幣処理装置に関するものである。
【背景技術】
【０００２】
一般に、紙幣入出金機などの紙幣処理装置にて用いられる搬送機構１２１は、図５（ａ）、（ｂ）に示した要部構成図のように、紙幣１２の搬送をガイドする搬送ガイド１０ａ、１０ｂと、前記紙幣１２を挟持して搬送する搬送ローラ１６と、搬送ガイド１０ａ、１０ｂの両側面に設けられたサイドフレーム１４ａ、１４ｂとから構成される。
【０００３】
この搬送機構１２１には、簡略化のために図示していないが、紙幣検出センサや、駆動源である駆動モータ、ギアなどの駆動伝達部品等が備えられている。
【０００４】
なお、図５（ａ）、（ｂ）は、紙幣１２を認識する認識部近傍の搬送路１１の構成図であり、同図矢印Ａのように搬入された紙幣１２が搬送ガイド１０ａ、１０ｂによりガイドされて方向を変え矢印Ｂのように搬送されるようになっている。
【０００５】
そして、搬送ガイド１０ａ、１０ｂは強度を保つためにサイドフレーム１４ａ、１４ｂにその両側面を固定され、外観からは搬送路内が見えない構造となっている。
【０００６】
そして、搬送路１１内でジャムが発生したときに残留する紙幣を除去するために、図５（ｃ）のように、搬送ガイド１０ｂを矢印Ｅのように開いて残留紙幣１２ｂを取り除くことができる構造となっている。また、図示していないが、さらに、搬送ガイド１０ｂを閉じるためのロック機構も実装されている（例えば、特許文献１参照）。
【先行技術文献】
【特許文献】
【０００７】
【特許文献１】特開平１１−３３９１００号公報
【発明の概要】
【発明が解決しようとする課題】
【０００８】
しかしながら、上記従来の紙幣処理装置のジャム除去機構では、支点部を支軸として搬送ガイドを開く構造となっているため、搬送ガイドをロックする機構部品も必要となり、部品点数が多く複雑な構成となるとともに、支点部近傍は開く量が少なくなるために、視認性が良くなく除去効率が低下するという問題があった。
【課題を解決するための手段】
【０００９】
本発明は、前述の課題を解決するために次の構成を採用する。すなわち、対向して配置し紙幣の搬送をガイドする搬送ガイドと、前記搬送ガイドの両側面に設けられたサイドフレームと、前記紙幣を挟持して搬送する搬送ローラと、からなる搬送機構により紙幣を搬送して所定の処理を行う紙幣処理装置であって、前記搬送ガイドに搬送方向に前記紙幣の短辺幅より長いスリットを設けるようにした。
【発明の効果】
【００１０】
本発明の紙幣処理装置によれば、搬送ガイドに搬送方向に紙幣の短辺幅より長いスリットを設けるようにしたので、簡単な構成で、残留紙幣を容易に除去することができる。
【図面の簡単な説明】
【００１１】
【図１】実施例１の紙幣処理装置の構成図である。
【図２】実施例１の紙幣処理装置の要部構成である。
【図３】実施例１の紙幣処理装置の動作説明図である。
【図４】変形例の紙幣処理装置の構成および動作説明図である。
【図５】従来の紙幣処理装置の要部構成および動作説明図である。
【発明を実施するための形態】
【００１２】
以下、本発明に係わる実施の形態例を、図面を用いて説明する。図面に共通する要素には同一の符号を付す。なお、以下の説明では、紙幣を取扱う紙幣入出金機を例として説明するが、通帳等の冊子状媒体や、レシートなどの紙葉類を取扱う処理装置などにも本発明を適用することができる。
【実施例１】
【００１３】
（構成）
図１は実施例１の紙幣処理装置の全体の構成を示す図である。同図に示したように、実施例１の紙幣処理装置１は、矢印Ｃのように開くシャッタ２ｓおよび分離部２ａを備え紙幣の投入や出金紙幣を集積して受け渡す入出金部２と、入出金部２に投入された紙幣１２を搬送して一時貯留する集積機構および集積機構にて集積された紙幣を１枚ずつ分離して繰り出す分離部６ａを備えた一時保留部６を備える。
【００１４】
さらに、実施例１の紙幣処理装置１は、分離部７ａを備え入出金部２に投入された紙幣１２を金種毎に収納する紙幣収納部７と、紙幣収納部７から繰り出された紙幣が出金紙幣として不適であると鑑別されたリジェクト紙幣を収納するリジェクト部９と、搬送路１１上に設けられ搬送される紙幣の真偽、金種、正損、表裏等の鑑別および計数を行うとともに搬送異常の検出を行う認識部５とを備える。
【００１５】
そして、実施例１の紙幣処理装置１の搬送機構２１は、図２（ａ）、（ｂ）の要部構成図に示したような構成となっている。なお、図２に示した搬送機構２１は図１のａ部位置の搬送路１１を例として示したものであり、この搬送機構２１では認識部５から矢印Ａのように搬送されてきた紙幣１２が搬送ガイド１０ａ、１０ｂによりガイドされて方向を変え矢印Ｂのように搬送される。
【００１６】
同図に示したように、実施例１の紙幣処理装置の搬送機構２１は、紙幣１２の搬送をガイドする搬送ガイド１０ａ、１０ｂと、前記紙幣１２を挟持して搬送する搬送ローラ１６と、搬送ガイド１０ａ、１０ｂの両側面に設けられたサイドフレーム１４ａ、１４ｂとから構成される。
【００１７】
この搬送機構２１には、簡略化のために図示していないが、紙幣検出センサや、駆動源である駆動モータ、ギアなどの駆動伝達部品等が備えられている。
【００１８】
なお、図２（ａ）、（ｂ）は、紙幣１２を認識する認識部５近傍の搬送機構２１の構成図であり、同図矢印Ａのように搬入された紙幣１２が搬送ガイド１０ａ、１０ｂによりガイドされて方向を変え矢印Ｂのように搬送されるようになっている。
【００１９】
そして、搬送ガイド１０ａ、１０ｂは強度を保つためにサイドフレーム１４ａ、１４ｂにその両側面を固定され、外観からは搬送路内が見えない構造となっている。
【００２０】
そして、搬送ガイド１０ｂには搬送路１１内でジャムが発生したときの残留紙幣１２ｂを除去するために詳細後述のスリット１３が備えられており、当該スリット１３の短辺端１３ｙは搬送路１１の内側にて紙幣１２が引っ掛からないように搬送路１１の外側に突き出るようになっている。
【００２１】
また、スリット１３は、紙幣１２の角がスリット１３に引っ掛らないようにするために、図２（ｃ）に示したように、長辺幅が最小となる紙幣１２がサイドフレーム１４ａによったときに、当該紙幣右端よりも内側となるように、すなわち、サイドフレーム１４ａからもっと最も遠いスリット１３の長辺端１３ｘまでの長さＬｓを前記紙幣１２の幅Ｗｍより所定のマージンをもって短くなるようにしている。同様に、長辺幅が最小となる紙幣１２がサイドフレーム１４ｂによったときに、当該紙幣左端よりも内側となるようにスリット１３を配置する。
【００２２】
また、紙幣１２の長辺がスリット１３に引っ掛らないようにするために、スリット１３は紙幣１２を挟持して搬送する搬送ローラ１１にできる限り近づけた位置に配置する。
【００２３】
（動作）
以上の構成にて実施例１の紙幣処理装置１は、以下のように動作する。まず、紙幣処理装置１による所定の取引の１つとして入金取引の動作を前述の図１を用いて説明する。
【００２４】
紙幣処理装置１の紙幣を入金する入金取引では、入金する紙幣１２はシャッタ２ｓが矢印Ｃのように開いた後、入出金口２に矢印Ｆのように投入され、図示しない入出金口内のセンサにて投入を確認後、シャッタ２ｓを閉じる。
【００２５】
このとき、入出金部２の入金口に紙幣１２が複数枚投入されたときは、分離部２ａにより１枚ずつ分離し、認識部５へ搬送されて真偽及び紙幣状態を判定し、真券・正常と判断すると一時保留部６へ搬送し、それ以外は入出金部２へ搬送し、返却する。
【００２６】
そして、取引き確定後、分離部６ａにより紙幣を１枚ずつ分離し、認識部５にて金種及び紙幣状態を判別し正常券は各紙幣収納部７へ、正常券以外はリジェクト部９へ搬送して収納を行う。
【００２７】
なお、出金時は紙幣収納部７から分離部７ａにより紙幣を１枚ずつ分離し搬出し認識部５にて紙幣状態を判別し、正常券は入出金部２へ、正常券以外はリジェクト部９へ搬送し集積する。
【００２８】
次に、実施例１の紙幣処理装置のジャム除去動作について図３の動作説明図を用いて以下説明する。なお、以下の説明では、図１のａ部、すなわち認識部５の搬出位置の搬送路に置いてジャムが発生した場合を例として説明するが、その他の場所であってもよい。
【００２９】
ジャムが発生すると、係員は、各搬送路に設けられた紙幣検出センサにより残留紙幣１２ｂが検出された搬送路１１を探し、当該搬送路１１のスリット１３を確認し、残留紙幣１２ｂを見つけると、綿棒やピンセット等をスリット１３に差し込んで矢印Ｄのように残留紙幣１２ｂを移動させて除去可能な位置まで押し出し、これを掴んで除去する。
【００３０】
（実施例１の効果）
以上のように実施例１の紙幣処理装置によれば、対向して配置し紙幣の搬送をガイドする搬送ガイドと、前記搬送ガイドの両側面に設けられたサイドフレームと、前記紙幣を挟持して搬送する搬送ローラと、からなる搬送機構により紙幣を搬送して所定の処理を行う紙幣処理装置であって、前記搬送ガイドに搬送方向に長いスリットを設けるようにしたので、簡単な構成で、残留紙幣を容易に除去することができる。
【００３１】
《その他の変形例》
なお、以上の実施例の説明では、搬送ガイド１０ｂを不透明の材料で構成するように説明したが、図４に示したように、透明な材料を用いた透明搬送ガイド１０ｃとするようにすれば、残留紙幣１２ｂを見つけやすく、その状態も確認しやすく、除去作業を効率的に行うことができる。
【００３２】
また、以上の実施例の説明では、一方の搬送ガイド１０ｂにのみスリット１３を設けるように説明したが、もう一方の搬送ガイド１０ａにもスリット１３を設けるようにしてもよいし、搬送ガイド１０ａのスリット１３と搬送ガイド１０ｂのスリット１３の位置をずらすようにすれば、さらに残留紙幣１２ｂを見つけやすく、効率よく移動させて除去することができる。
【産業上の利用可能性】
【００３３】
以上述べたように、本発明は、入出金する紙幣等の媒体を搬送し所定の取引を行う紙幣処理装置に広く用いることができる。
【符号の説明】
【００３４】
１    紙幣処理装置
２    入出金部
２ａ  分離部
２ｓ  シャッタ
５    認識部
６    一時保留部
７    紙幣収納部
７ａ  分離部
９    リジェクト部
１０ａ、１０ｂ  搬送ガイド
１０ｃ  透明搬送ガイド
１１  搬送路
１２  紙幣
１２ｂ  残留紙幣
１３  スリット
１３ｘ  スリット長辺端
１３ｙ  スリット短辺端
１４ａ、１４ｂ  サイドフレーム
２１  搬送機構
Ｌｓ  サイドフレームから最も遠いスリット長辺まで長さ
Ｗｍ  最小紙幣の長辺幅
【図１】
0005708064.tif 000002
【図２】
0005708064.tif 000003
【図３】
0005708064.tif 000004
【図４】
0005708064.tif 000005
【図５】
0005708064.tif 000006